(57)【要約】【課題】空間改質機能を損なうことなく、使用期限を視覚的に知ることができる時経認識媒体付き空間改質装置を提供する点にある。【解決手段】保持している液分の蒸発によって体積が時経的に縮小する時経縮小媒体１と、空気雰囲気中にあって空気流通によって空気を改質する空間改質媒体２を外部空気と連通可能に別々に区画収納部３Ａ，３Ｂに収納して、時経経過に伴って区画収納部３Ａ，３Ｂ内における時経縮小媒体１の縮小変化を、目視手段４によって目視可能になっている収容体１２０を備えて、空間改質媒体２の使用期限を認識可能に構成されている。【選択図】        図２
2004305386.tif 000002
【特許請求の範囲】
【請求項１】
保持している液分の蒸発によって体積が時経的に縮小する時経縮小媒体と、空気雰囲気中にあって空気流通によって空気を改質する空間改質媒体を外部空気と連通可能に別々に区画収納部に収納して、時経経過に伴って区画収納部内における時経縮小媒体の縮小変化を、目視手段によって目視可能になっている収容体を備えて、空間改質媒体の使用期限を認識可能に構成されている時経認識媒体付き空間改質装置。
【請求項２】
保持している液分の蒸発によって体積が時経的に縮小する時経縮小媒体と、空気雰囲気中にあって空気流通によって空気を改質する空間改質媒体を、外部空気と連通可能に一緒の収納部に独立に混在する分離状態で収納して、時経経過に伴って時経縮小媒体の縮小変化に対応する収納部内の嵩高さの減少変化を、目視手段によって外部から目視可能になっている収容体を備えて、空間改質媒体の使用期限を認識可能に構成されている時経認識媒体付き空間改質装置。
【請求項３】
前記時経縮小媒体が、液分の蒸発によって体積が時経的に縮小する、液分を吸収して膨張した高分子吸収体から構成されている請求項１記載の時経認識媒体付き空間改質装置。
【請求項４】
前記空間改質媒体が、少なくとも炭化物から構成されている請求項１記載の時経認識媒体付き空間改質装置。
【請求項５】
前記炭化物が顆粒状に形成されている請求項３記載の時経認識媒体付き空間改質装置。
【請求項６】
前記収容体が、空気流通可能な流通孔が外殻に形成されているとともに、開閉手段を介して開け閉め可能に形成されたジャケット体に収容されている請求項１、２、３、４又は５記載の時経認識媒体付き空間改質装置。
【発明の詳細な説明】
【０００１】
【発明の属する技術分野】
本発明は、時経経過を認識可能となった時経認識媒体付き空間改質装置に関する。
【０００２】
【従来の技術】
冷蔵庫内の脱臭剤としては、活性炭などの臭い吸着物質を、かご状のケース内に収納したものが一般的である。
このような脱臭剤には、開封後の使用期限が記載されているが、一般的には、交換を認識した際に行われるのが実情であり、脱臭作用を使い切ったのか、使い残しているかの判別がつかない状態で、交換が行われたりすると言うように、使用期限にあいまいさのある商品傾向を示すものであった。
また、近年においては、このような使用期限にあいまいさのある点を改善する目的で、水分を保持状態にしたゲル状の寒天状培地に、備長炭の粉末が混ぜ込まれた脱臭剤を、透明な容器に収容して、蒸発によって寒天状培地の体積が減少して固化状態になった状態で、使用期限とするものが存在している。
【０００３】
【発明が解決しようとする課題】
ところが、この種の脱臭剤においては、寒天状培地に混ぜ込まれた備長炭の粉末は、外部空気との接触が殆ど絶たれた状態になっており、備長炭の臭い吸着原理が、多孔質の孔内で臭い分子を捕捉して脱臭機能が発揮され、空気流通なくして脱臭効果を発揮するのが難しいことがわかっており、多孔質の孔が寒天状培地によって閉ざされた備長炭の粉末に脱臭効果が殆どなく、むしろ、脱臭効果は主に、寒天状培地の方に存在する。これは、水が臭い物質を溶かし込んで吸着することから理解されるが、活性炭や備長炭の脱臭効果に比べて著しく低くい問題がある。
同じ理由で、寒天状培地による臭い吸着においても、大きな脱臭効果を期待することができないものであり、使用期限が視覚的に認識することができる利点があるものの脱臭効果は低い商品傾向のものであった。
【０００４】
本発明は、上述の実状に鑑みて為されたものであって、その主たる課題は、空間改質機能を損なうことなく、使用期限を視覚的に知ることができる時経認識媒体付き空間改質装置を提供する点にある。
【０００５】
【課題を解決するための手段】
本発明の請求項１による時経認識媒体付き空間改質装置の特徴構成は、保持している液分の蒸発によって体積が時経的に縮小する時経縮小媒体と、空気雰囲気中にあって空気流通によって空気を改質する空間改質媒体を外部空気と連通可能に別々に区画収納部に収納して、時経経過に伴って区画収納部内における時経縮小媒体の縮小変化を、目視手段によって目視可能になっている収容体を備えて、空間改質媒体の使用期限を認識可能に構成されている点にある。
【０００６】
上記特徴構成によれば、時経経過に伴って時経縮小媒体の体積が縮小して行くと、区画収納部に収納される時経縮小媒体が満杯状態から、液分の蒸発が終える体積状態に至るまで小さくなり、定まった空間大きさの区画収納部に対して、時経縮小媒体の体積が減少する変化によって、変化関係を対比することができ時経経過を認識することができるとともに、この時経認識とは別に空間改質媒体が空気流通下に置かれているので、空間改質媒体を空気改質機能に作用させることができる。
【０００７】
従って、空気の改質を伴いながら、空間改質媒体の使用開始から使用期限までを視覚的に認識することができ、時経的な使用状況を判別することができるので、交換の時期を視覚的に認識することができる。
【０００８】
本発明の請求項２による時経認識媒体付き空間改質装置の特徴構成は、保持している液分の蒸発によって体積が時経的に縮小する時経縮小媒体と、空気雰囲気中にあって空気流通によって空気を改質する空間改質媒体を、外部空気と連通可能に一緒の収納部に独立に混在する分離状態で収納して、時経経過に伴って時経縮小媒体の縮小変化に対応する収納部内の嵩高さの減少変化を、目視手段によって外部から目視可能になっている収容体を備えて、空間改質媒体の使用期限を認識可能に構成されている点にある。
【０００９】
上記特徴構成によれば、時経経過に伴って時経縮小媒体の体積が縮小して行くと、時経縮小媒体と空間改質媒体とを収容する区画収納部が満杯状態から、時経縮小媒体の液分の蒸発が終わる体積状態に至るまで小さくなることによって、定まった空間大きさの区画収納部に対して、空き空間が広くなって行くので、時経経過を認識することができるとともに、この時経認識とは別に時経縮小媒体と独立した空間改質媒体が空気流通下に置かれているので、空間改質媒体の全てを空気改質機能に作用させることができる。
【００１０】
従って、空間改質媒体の使用開始から使用期限までを視覚的に認識することができ、時経的な使用状況を判別することができるので、交換の時期を視覚的に認識することができる。
【００１１】
本発明の請求項３による時経認識媒体付き空間改質装置の特徴構成は、前記時経縮小媒体が、液分の蒸発によって体積が時経的に縮小する、液分を吸収して膨張した高分子吸収体から構成されている点にある。
【００１２】
上記特徴構成によれば、液分を吸収させた膨張状態の高分子吸収体を、区画収納部に満杯状態に収納することによって、時経経過に伴って高分子吸収体から液分が全て蒸発するまで、その体積が減少して行くことになる。
【００１３】
従って、時経経過に伴って高分子吸収体の体積が小さくなるので、単独で時経認識媒体として用いることができるとともに、高分子吸収体は吸収する液分にその他の目的成分を混合しておくことによって、液分と一緒に吸収させることができるので、例えば、目的成分が脱臭剤であれば、時経経過に伴って脱臭性を作用させることができ、目的成分が香料であれば、蒸発に伴って香気を拡散することができるので、時経認識媒体に他機能を付加した利用が可能であり、複数の機能を有しながらも構成の兼用化を図ることができる。
【００１４】
本発明の請求項４による時経認識媒体付き空間改質装置の特徴構成は、前記空間改質媒体が、少なくとも炭化物から構成されている点にある。
【００１５】
上記特徴構成によれば、炭化物は、脱臭剤機能等の空気改質機能を備えている。
【００１６】
従って、空気の改質目的が明確であるので、明確な商品性を形成することができる。
【００１７】
本発明の請求項５による時経認識媒体付き空間改質装置の特徴構成は、前記炭化物が顆粒状に形成されている点にある。
【００１８】
上記特徴構成によれば、空間改質に寄与する大きな表面積を形成することによって、空気接触面積を増やして空気改質効果を高めることができ、時経認識媒体と空間改質媒体とが別々の区画収納部に収容されている場合では、顆粒状の空間改質媒体では限られた収容空間に対応した詰め込み状態に収容することができ、時経認識媒体を収容して時経的に体積減少する区画収納部との対比を形成することができ、時経認識媒体と空間改質媒体とが独立に一緒の収納部に収容されている場合、空間改質媒体が顆粒状に形成され、時経認識媒体の体積が時経経過とともに小さくなって行く体積変化に追従して、空間改質媒体全体のまとまり形態を変化させることができるので、空間改質機能を保持しながら視覚性ある変化形成することができる。
【００１９】
従って、視覚的に瞬時に時経認識することができるので、時経認識性の向上を図ることができる。
【００２０】
本発明の請求項６による時経認識媒体付き空間改質装置の特徴構成は、前記収容体が、空気流通可能な流通孔が外殻に形成されているとともに、開閉手段を介して開け閉め可能に形成されたジャケット体に収容されている点にある。
【００２１】
上記特徴構成によれば、収容される時経認識媒体付き空間改質媒体装置の構成はそのままで、収容するジャケット体のデザインや構造を、使用される場所に対応したものにすることができる。
【００２２】
従って、中身は変わらずに、ジャケット体を種々用意しておくことによって、多様な商品体系を形成することができる。
【００２３】
【発明の実施の形態】
〔第１実施形態〕
以下、本発明の時経認識媒体付き空間改質装置Ａを適用した実施形態の一例を図１〜図４に示す図面に基づいて説明する。この実施形態のものは、冷蔵庫内で使用されるタイプの時経認識媒体付き空間改質装置Ａを説明する。
【００２４】
この時経認識媒体付き空間改質装置Ａにおいて、図１、図２に示すように、保持している液分の蒸発によって体積が時経的に縮小する多数の高分子吸収体ポリマー粒１Ａからなる時経縮小媒体１が、透明樹脂素材から形成されるとともに空気流通の小孔１００Ｂが形成された目視容器１００に収納され、空気雰囲気中にあって空気流通によって空気を改質する顆粒状の備長炭２Ａからなる空間改質媒体２は、空気流通性のある不織布殻なる閉じ袋１１０に袋綴じされ、夫々を外部空気と連通可能に別々の区画収納部３Ａ，３Ｂである目視容器１００，１１０や綴じ袋１１０などに収納して、これら目視容器１００や綴じ袋１１０が、冷蔵庫の内壁Ｂに吸盤１２０Ａを介して取り付け可能になっているとともに、多数のスリット１２０ａを介して空気流通可能な収納体であるジャケット体１２０に一纏めに収納されている。
【００２５】
前記目視容器１００は、透明な樹脂材から形成されているとともに、円柱状の容器本体の一面側に形成された球面状に膨出する膨出部１００Ａを、ジャケット体１２０の前面に形成された嵌め込み孔１２０ｂに嵌め込むことによって、ジャケット体１２０に組付け可能になっているとともに、膨出部１００Ａを通して容器１００内部に収納されている時経縮小媒体１を目視可能になっており、この嵌め込み孔１２０ｂに嵌め込まれて、外部から目視容器１００内を目視可能にする膨出部１００Ａによって目視手段４が構成されている。
【００２６】
また、この目視容器１００は、図３に示すように、一面開口で底面に空気流通用の複数の小孔１００Ｂが形成された受け皿状の分割ケース１０１と、このケース１０１に対応する一面開口で前記膨出部１００Ａを一体形成してある分割ケース１０２を、これら分割ケース１０１，１０２の何れか一方の開口周縁に形成された係止片ａに対して、これに対応する何れか他方の分割ケースの開口周縁に形成された係止受けｂが着脱自在な係合が可能になっている。
【００２７】
前記時経縮小媒体１は、例えば、吸湿前の状態で直径が約２ｍｍ程度の高分子ポリマー粒１Ａを、直径が約５ｍｍ程度に脱臭剤１Ｂなどを混ぜ込んだ液中にて水分吸収させて膨張させたものであり、空気雰囲気中に放置することによって、雰囲気中の臭い成分を吸着するとともに、時経経過に伴って含まれる水分が蒸発して行くことによって、元の大きさに至るまで縮小して行く状態を形成することができるものである。この実施形態では、区画収納部３Ｂである目視容器１００に収納されて、当該目視容器１００に形成された空気流通用の小孔１００Ｂの大小や形成数を設定することによって、空間改質媒体２の設定された使用期限である期間、例えば、通常の使用状態で、３か月（一例）ほどで時経縮小媒体である高分子ポリマー粒１Ａが液分吸着前のチップに戻る状態に設定してある。
【００２８】
前記空間改質媒体２は、例えば、この実施形態では炭化物である顆粒状の備長炭２Ａが用いられ、区画収納部３Ａである綴じ袋１１０内に収納されており、ジャケット体１２０内に収納された状態で、ジャケット体１２０に形成されたスリット１２０ａを通して空気流通がなされ、空間改質媒体２と空気とが接触する構成になっている。ここで、空間改質媒体２として、野菜の細胞破壊を促進させるエチレンガス等のガス成分吸着に優れる炭化物である竹炭、活性炭を単独に用いても、便長炭、竹炭、活性炭を複合して用いてもよい。この場合においても、顆粒状や粉末状の炭化物を用いることによって、空気との接触する表面積を増やして、空間改質作用を高めるのが好ましい。
【００２９】
時経縮小媒体１と空間改質媒体２を収納するジャケット体１２０は、背面中央部分に吸盤１２０Ａが取り付けらた取付け側ジャケット部材１２１の環状係止片１２１Ａに対して、正面中央部分に嵌め込み孔１２０ｂが形成された蓋側ジャケット部材１２２の環状係止片受け１２２Ａが、着脱自在に係合可能になっている。
【００３０】
また、図示しないが、使用前において、空気密閉された状態で袋閉じされてあり、使用する際に綴じ袋から取り出した時点から、空間改質媒体２及び時経縮小媒体１の使用が開始される状態となる。
【００３１】
このような構成によれば、綴じ袋１１０、ジャケット体１２０のスリット１２０ａを通して空間改質媒体１と空気が接触する状態を形成することができるとともに、目視容器１００に形成された空気流通用の小孔１００Ｂ、ジャケット体１２０のスリット１２０ａを通して時経縮小媒体１と空気が接触する状態を形成することができる。
【００３２】
そのため、時経縮小媒体１の水分蒸発によって、高分子吸収ポリマー粒１Ａの大きさが縮小して行くことによって、ジャケット体１２０の嵌め込み孔１２０ｂに嵌めこまれた膨出部１００Ａを通して、目視容器１００内の時経縮小媒体１における体積変化を目視することができるとともに、必要以上に縮小したと認識した場合には目視容器１００内の空間部分が広くなって行くとともに、膨出部１００Ａから見える時経縮小媒体１の領域も減少して行くため、使用期限に達しているか否かの判別が可能となる。
【００３３】
すなわち、例えば、冷蔵庫内の内壁である側壁Ｂに吸盤１２０Ａを介して時経認識媒体付き空間改質装置Ａを取り付けた状態では、図４（イ）に示すように、時経縮小媒体１が膨出部１００Ａの全面に存在している開始状態から、図４（ロ）に示すように、時経縮小媒体１が膨出部１００Ａの一部に存在し、残りに部分に目視容器１００内の空間領域が占める使用中間状態になり、最終的に、図４（ハ）に示すように、膨出部１００Ａの全面に目視容器１００内の空間領域が占める使用期限状態を形成することができる。尚、冷蔵庫内の内壁である天井壁Ｂに時経認識媒体付き空間改質装置Ａを取り付けた状態においても、膨出部１００Ａの先端部分にのみに縮小限界となった時経縮小媒体１が溜まることになるので、その部分を除く膨出部１００Ａ部分から目視容器１００内の空間領域を目視可能な使用期限状態が形成される。
【００３４】
従って、目視手段４によって、時経縮小媒体１の体積変化状態と目視容器１００内の空間との対比を認識することによって使用中の現状を把握することができ、この種脱臭剤における商品ライフサイクルを視覚的に判断することができるので、この種商品の無駄にない利用を図ることができる。
【００３５】
尚、この実施形態においては、冷蔵庫内で使用されるタイプの時経認識媒体付き空間改質装置Ａを説明したが、住居やオフィス等の室内で使用されるタイプの時経認識媒体付き空間改質装置Ａを形成するものであってもよい。
【００３６】
〔第２実施形態〕
【００３７】
以下、本発明の時経認識媒体付き空間改質装置Ａを適用した第２実施形態を図５〜図７に示す図面に基づいて説明する。この実施形態のものは、住居やオフィス等の室内で使用されるタイプの時経認識媒体付き空間改質装置Ａを説明する。
【００３８】
この時経認識媒体付き空間改質装置Ａは、図６に示すように、保持している液分の蒸発によって体積が時経的に縮小する高分子吸収体ポリマー１Ａからなる時経縮小媒体１と、空気雰囲気中にあって空気流通によって空気を改質する備長炭２Ａからなる空間改質媒体２を外部空気と連通可能に別々に区画収納部３Ａ，３Ｂに収納して、時経縮小媒体１の区画収納部３Ａが外部から目視手段４によって目視可能になっている収容体３を備えて、空間改質媒体の使用期限を認識可能に構成されている構成されている。
【００３９】
前記収容体３は、図５に示すように、一面開口で底部側がテーパー状に縮径される筒状で透明性を有する樹脂容器に対して、開口側筒部３ａとテーパー状筒部３ｂとの境界３ｃに同心状に沿ってスリット状の孔が形成された仕切板５と、筒開口部３ｄにネジ螺合による開閉手段６によって開閉自在に装着され、蓋体面に同心状に沿ってスリット状の孔が形成された蓋体７とから構成され、開口側筒部３ａ内とテーパー状筒部３ｂ内が空気流通自在で夫々独立した区画収納部３Ａ，３Ｂを構成し、透明性を有する樹脂容器によってテーパー状筒部３Ｂ内が目視可能な目視手段４を構成している。開閉手段６は、収容体３の筒開口部に形成された雄ネジ３ｄと、これに対応する蓋体７に形成された雌ネジ７ｂから構成されている。
【００４０】
前記時経縮小媒体１は、例えば、吸湿前の状態で直径が約２ｍｍ程度の高分子ポリマー粒１Ａを、直径が約５ｍｍ程度に脱臭剤１Ｂなどを混ぜ込んだ液中にて水分吸収させて膨張させたものであり、空気雰囲気中に放置することによって、雰囲気中の臭い成分を吸着するとともに、時経経過に伴って含まれる水分が蒸発して行くことによって、元の大きさに至るまで縮小して行く状態を形成することができるものである。この実施形態では、収容体３の底部分であるテーパー状の筒部内である区画収納部３Ｂに収納されて、普通の状態で、３か月（一例）ほどで元の高分子ポリマー粒状態に戻る設定になっている。
【００４１】
前記空間改質媒体２は、この実施形態では炭化物である顆粒状の備長炭２Ａが用いられ、収容体３のテーパー状筒部３ｂに連続形成された区画収納部３Ａである開口側筒部３ａ内に満杯状態で収納されており、蓋体７と空間改質媒体２との境界、仕切板５と空間改質媒体２との境界には、空気流通自在な網目の大きさを有する不織布８，９が介在され、テーパー状筒部３ｂ内の時径縮小媒体１は、この空間改質媒体２の区画収納部３Ａを通して空気流通がなされ、時径縮小媒体１の水分蒸発がなされる。
【００４２】
空間改質媒体２及び時経縮小媒体１を夫々の区画収納部３Ａ，３Ｂに収納した収容体３は、図示しないが、使用前において、空気密閉された状態で袋閉じされてあり、使用する際に綴じ袋から取り出した時点から、空間改質媒体２及び時経縮小媒体１の使用が開始される状態となる。
【００４３】
このような構成によれば、蓋体７のスリット７ａ、蓋７側の不織布８を通して空気改質媒体２と空気流通する状態を形成することができるとともに、蓋体７のスリット７ａ、蓋７側の不織布８、空気改質媒体２、仕切板５側の不織布９、間仕切板５のスリット５ａを通して時経認識媒体層と空気流通する状態を形成することができる。
【００４４】
しかも、図７に示すように、時経縮小媒体１の水分蒸発によって、高分子吸収ポリマー１Ａの大きさが縮小して行くことによって、時経を認識することができるとともに、必要以上に縮小したと認識した場合、使用限界の判別を可能にすることができる。
【００４５】
尚、この第２実施形態においては、住居やオフィス等の室内で使用されるタイプの時経認識媒体付き空間改質装置Ａを説明したが、臭い吸着性や、野菜自ら生じて細胞破壊を促進させるエチレンガス等のガス成分吸着に優れる炭化物である竹炭の顆粒を空間改質媒体に用いて、冷蔵庫内で使用されるタイプの時経認識媒体付き空間改質装置Ａを形成するものであってもよい。
また、前記不織布８，９は、蓋体７、仕切板５に糊付けなどによって、接合されていてもよい。
【００４６】
〔第３実施形態〕
この第３実施形態の時経認識媒体付き空間改質装置Ａを、図８，図９の図面に基づいて説明する。上記第１実施形態と同構成部分には同符号を付してその詳細は省略する。
この時経認識媒体付き空間改質装置Ａは、上記第２実施形態の時経認識媒体付き空間改質装置Ａである空間改質装置本体１０を、空気流通可能なかご状のジャケット体１１に収納したものである。
【００４７】
このジャケット体１１は、底部分に平坦な載置面１１Ａａを形成する半球状の受け側ケース１１Ａに対して、半球状の蓋側ケース１１Ｂを雄ネジ１２ａ・  雌ネジ１２ｂの螺合関係からなる開閉手段１２によって開閉自在になっているとともに、両ケース１１Ａ，１１Ｂからなる外殻部分に空気流通可能なスリット１１ｃが配列形成されている。
【００４８】
この実施形態のジャケット体１１は、図示するように、受け側ケース１１Ａの水平な載置面部載置面１１Ａａに対して、開閉手段１２が傾斜状態に輪切りされた周縁に形成され、両ケース１１Ａ，１１Ｂは斜め方向で開閉自在な構成になっているが、受け側ケース１１Ａに対して空間改質装置本体１０は上下方向で着脱可能になっている。
【００４９】
このような構成にすることによって、空間改質装置本体１０はそのままでジャケット体１１のデザインや色彩を代えたものを使用することによって、例えば、居間、寝室、トイレ、台所、洗面所、タンスの中、冷蔵庫内、車中、オフィス等の使用空間に対応して種々設定したジャケット体を使用することによって、使用場所に対応する商品を形成することができる。
【００５０】
また、空間改質装置本体１０の使用期限を確認するには、空間改質装置本体１０をジャケット体１１から取り出して行うことになるが、例えば、来客者の目につきやすい居間やトイレなどでの使用される場合等、使用期限を強調したくないような場所でも支障なく使用することができる利点を有する。
【００５１】
〔その他の実施形態〕
１）図１０（イ）、（ロ）に示すように、台座２００に着脱自在に取付けられた多数の空気流通用の挿通孔２１１ａが形成されたかご状ケース２１１からなる区画収納部３Ａ内に、不織布２１０で袋綴じされた顆粒状の炭化物からなる空間改質媒体２を収納し、この区画収納部３Ａの上部に一連に設けられた透明樹脂から形成された区画収納部３Ｂである目視容器２２０内に、脱臭剤を含む液体を含浸して膨張状態の多数の高分子ポリマー粒１Ａからなる時経縮小媒体１を収納し、台座２００に対して、胴周りに内部を視認可能な巾寸の多数のスリット２０１ａが形成されたジャケット体２０１を凹凸嵌合等の嵌合手段２０２を介して着脱自在に取付けて、時経認識媒体付き空間改質装置Ａを構成するものであってもよい。
【００５２】
このような構成であれば、台座２００からジャケット体２０１を外して直接に目視容器２２０内の時経縮小媒体１の状態を認識することができるとともに、台座２００にジャケット体２０１が取付けられた状態においても、ジャケット体２０１のスリット２０１ａを通して目視容器２２０内の時経縮小媒体１の状態を認識することができる時経認識媒体付き空間改質装置Ａを形成することができる。
【００５３】
この場合、台座２００からジャケット体２０１を外した状態では、透明な目視容器２２０自体が目視手段４を構成し、台座２００にジャケット体２０１が取付けられた状態では、透明な目視容器２２０と、内部を視認可能な巾寸のジャケット体２０１のスリット２０１ａによって目視手段４が構成される。
【００５４】
２）上記第２、３実施形態において、時経縮小媒体１の区画収納部３Ｂを収容体３の下層に、空間改質媒体２の区画収納部３Ａを収納体３の上層に形成するものについて説明したが、本発明はこれに限らず、図１１（イ）、（ロ）に示すように、筒内径が同寸の収容体３１を用いて、内周面の設定高さ位置に内鍔３０ｄを設けてスリット状の孔が形成された仕切板６を載置可能に構成して、収容体３０の中間筒部３０ａに時経縮小媒体１の区画収納部３０Ａを形成し、この中間筒部３０ａを挟み込む上下筒部３０ｂ，３０ｃに夫々空間改質媒体２の区画収納部３０Ｂ，３０Ｃを形成するものであってもよく、収容体３０内の時経縮小媒体１の区画収納部３０Ａの形成数においても、１層であっても２層であっても、それ以上の層数であってもよい。
【００５５】
また、図１２（イ）、（ロ）に示すように、筒内径が同寸の収容体３１を用いて、仕切板６を載置可能にする内鍔がない状態で、上下方向に沿って時経縮小媒体１と空間改質媒体２の区画収納部３１Ａ，３１Ｂを形成するものであってもよい。
この場合、図１２（ロ）に示すように、仕切板５と共に空間改質媒体２が下層の区画収納部に時経にともなって落ち込んで行くことに追従して、上層の区画収納部上部の空間が広くなって行くことによって、目視手段４（収納体３１が透明性又は上層の筒部のみが透明性を有する構成の目視手段）を介して時経を認識することができる構成であってもよい。
【００５６】
尚、上記第２，３実施形態と同構成部分には同符号を付してその詳細は省略する。
【００５７】
３）上記各実施形態においては、収納体内に、時経縮小媒体の収納部と空間改質媒体の収納部とが区画形成された空間改質装置、又は、空間改質装置本体について説明したが、本発明はこれに限らず、保持している液分の蒸発によって体積が時経的に縮小する時経縮小媒体と、空気雰囲気中にあって空気流通によって空気を改質する空間改質媒体と、両者を外部空気と連通可能に一緒の収納部に独立に混在する分離状態で収納して、時経経過に伴って時経縮小媒体の体積変化を目視手段によって外部から目視可能になっている収容体を備えて構成されているものであってもよい。
【００５８】
この場合、時経経過に伴って時経縮小媒体の体積が縮小して行くと、時経縮小媒体と空間改質媒体とを収容する区画収納部が満杯状態から、時経縮小媒体の液分の蒸発が終わる体積状態まで小さくなることによって、定まった空間大きさの区画収納部に対して、空き空間が広くなって行くので、時経経過を認識することができるとともに、この時経認識とは別に時経縮小媒体と独立した空間改質媒体が空気流通下に置かれているので、空間改質媒体の全てを空気改質機能に作用させることができる。
【図面の簡単な説明】
【図１】第１実施形態の時経認識媒体付き空間改質装置の分解断面図
【図２】使用開始時点の時経認識媒体付き空間改質装置を示す断面図
【図３】目視容器を示す分解断面図
【図４】目視手段を通して時経縮小媒体の時経変化を示す正面図
（イ）は使用開始初期の状態を示す正面図
（ロ）は使用途中時期を示す正面図
（ハ）は使用期限を示す正面図
【図５】第２実施形態の時経認識媒体付き空間改質装置の分解斜視図
【図６】使用開始時点の時経認識媒体付き空間改質装置を示す断面図
【図７】使用期限時点の時経認識媒体付き空間改質装置を示す断面図
【図８】第２実施形態の時経認識媒体付き空間改質装置における空間改質装置本体とジャケット体を示す分解斜視図
【図９】第３実施形態の時経認識媒体付き空間改質装置の断面図
【図１０】その他の実施形態の時経認識媒体付き空間改質装置の断面図
（イ）は使用開始時点の時経認識媒体付き空間改質装置を示す断面図
（ロ）は使用期限時点の時経認識媒体付き空間改質装置を示す断面図
【図１１】さらに別の実施形態の時経認識媒体付き空間改質装置の断面図
（イ）は使用開始時点の時経認識媒体付き空間改質装置を示す断面図
（ロ）は使用期限時点の時経認識媒体付き空間改質装置を示す断面図
【図１２】さらに別の実施形態の時経認識媒体付き空間改質装置の断面図
（イ）は使用開始時点の時経認識媒体付き空間改質装置を示す断面図
（ロ）は使用期限時点の時経認識媒体付き空間改質装置を示す断面図
【符号の説明】
Ａ            時経認識媒体付き空間改質装置
１            時経縮小媒体
１Ａ          高分子ポリマー粒
２            空間改質媒体
２Ａ          便長炭
３            収容体
３Ａ          区画収納部
３Ｂ          区画収納部
４            目視手段
１０          空間改質装置本体
１１          ジャケット体
１２０        ジャケット体（収容体）
【図１】
2004305386.tif 000003
【図２】
2004305386.tif 000004
【図３】
2004305386.tif 000005
【図４】
2004305386.tif 000006
【図５】
2004305386.tif 000007
【図６】
2004305386.tif 000008
【図７】
2004305386.tif 000009
【図８】
2004305386.tif 000010
【図９】
2004305386.tif 000011
【図１０】
2004305386.tif 000012
【図１１】
2004305386.tif 000013
【図１２】
2004305386.tif 000014